(57)【要約】【課題】複数の映像を同一画面上に合成して表示するとき、同業社どうしのＣＭ等の同時表示を抑制し、宣伝効果の低下を抑制する機能を備えた映像処理装置を提供する。【解決手段】合成するための一つの映像データである主映像データと主映像データ以外の映像データである副映像データとを選択する選択指示部３２と、選択された各映像データを合成する合成出力部１４と、主映像データに対応する属性情報と副映像データに対応する属性情報とを比較し、比較の結果、互いの属性情報が一致するとき、属性情報が一致した副映像データの選択を抑制するように選択指示部３２を制御するスポンサ処理部３０とを備える。【選択図】図１
2005340886.tif 000002
【特許請求の範囲】
【請求項１】
コンテンツの属性を示す属性情報をコンテンツ毎に記憶するとともに、各コンテンツに対応したそれぞれの映像データの中から、少なくとも２つの映像データを選択し、合成して合成画面映像信号を生成する機能を有した映像処理装置であって、
合成するための一つの映像データである主映像データと前記主映像データ以外の映像データである副映像データとを選択する選択手段と、
選択された各映像データを合成する合成手段と、
前記主映像データに対応する属性情報と前記副映像データに対応する属性情報とを比較する比較手段と、
前記比較手段による比較の結果に基づき、前記主映像データに対応する属性情報と前記副映像データに対応する属性情報とが一致するとき、前記属性情報が一致した副映像データの選択を抑制するように前記選択手段を制御する選択制御手段とを備えたことを特徴とする映像処理装置。
【請求項２】
前記選択制御手段は、前記比較手段による比較の結果に基づき、前記主映像データに対応する属性情報と前記副映像データに対応する属性情報とが一致するとき、前記主映像データに対応する属性情報と前記副映像データに対応する属性情報とが一致する副映像データを除いた副映像データを選択するように前記選択手段を制御する選択制御手段であることを特徴とする請求項１記載の映像処理装置。
【請求項３】
前記選択制御手段は、前記比較手段による比較の結果に基づき、前記主映像データに対応する属性情報と前記副映像データに対応する属性情報とが一致するとき、前記主映像データに対応する属性情報と前記副映像データに対応する属性情報とが一致する副映像データを除いた副映像データの中から、一つの副映像データを選択するように前記選択手段を制御する選択制御手段であることを特徴とする請求項１記載の映像処理装置。
【請求項４】
コンテンツの属性を示す属性情報をコンテンツ毎に記憶するとともに、各コンテンツに対応したそれぞれの映像データの中から、少なくとも２つの映像データを選択し、合成して合成画面映像信号を生成する機能を有した映像処理装置であって、
合成するための一つの映像データである主映像データと前記主映像データ以外の映像データである副映像データとを選択する選択手段と、
選択された各映像データを合成する合成手段と、
前記主映像データに対応する属性情報と前記副映像データに対応する属性情報とを比較する比較手段と、
前記比較手段による比較の結果に基づき、前記主映像データに対応する属性情報と前記副映像データに対応する属性情報とが一致するとき、前記属性情報が一致した副映像データの選択を抑制するとともに、所定の期間経過の後、前記属性情報が一致した副映像データを選択するように前記選択手段を制御する選択制御手段とを備えたことを特徴とする映像処理装置。
【請求項５】
前記選択制御手段は、前記比較手段による比較の結果に基づき、前記主映像データに対応する属性情報と前記副映像データに対応する属性情報とが一致するとき、前記主映像データに対応する属性情報と前記副映像データに対応する属性情報とが一致する副映像データを除いた副映像データを選択するとともに、所定の期間経過の後、前記属性情報が一致した副映像データを選択するように前記選択手段を制御する選択制御手段であることを特徴とする請求項４記載の映像処理装置。
【請求項６】
前記選択制御手段は、前記比較手段による比較の結果に基づき、前記主映像データに対応する属性情報と前記副映像データに対応する属性情報とが一致するとき、前記主映像データに対応する属性情報と前記副映像データに対応する属性情報とが一致する副映像データを除いた副映像データの中から、一つの副映像データを選択するとともに、所定の期間経過の後、前記属性情報が一致した副映像データを選択するように前記選択手段を制御する選択制御手段であることを特徴とする請求項４記載の映像処理装置。
【請求項７】
前記属性情報は、コンテンツを提供するスポンサの業種を示す業種情報であることを特徴とする請求項１から請求項６のいずれか一項に記載の映像処理装置。
【請求項８】
コンテンツの属性を示す属性情報をコンテンツ毎に記憶するとともに、各コンテンツに対応したそれぞれの映像データの中から、少なくとも２つの映像データを選択し、合成して合成画面映像信号を生成する機能を有した映像処理装置であって、
合成するための一つの映像データである主映像データと前記主映像データ以外の映像データである副映像データとを選択する選択手段と、
選択された各映像データを合成する合成手段と、
前記主映像データに対応する属性情報と前記副映像データに対応する属性情報とを比較する比較手段と、
前記比較手段による比較の結果に基づき、前記選択手段を制御する選択制御手段とを備え、
前記属性情報は、コンテンツを提供するスポンサを示すスポンサ識別情報とコンテンツを提供するスポンサの業種を示す業種情報とを含み、
前記比較手段は、前記主映像データに対応する業種情報と前記副映像データに対応する業種情報とを比較するとともに、前記主映像データに対応するスポンサ識別情報と前記副映像データに対応するスポンサ識別情報とを比較し、
前記選択制御手段は、前記比較手段による比較の結果に基づき、前記主映像データに対応するスポンサ識別情報と前記副映像データに対応するスポンサ識別情報とが一致せず、かつ前記主映像データに対応する業種情報と前記副映像データに対応する業種情報とが一致する副映像データの選択を抑制するように前記選択手段を制御することを特徴とする映像処理装置。
【請求項９】
前記選択制御手段は、前記比較手段による比較の結果に基づき、前記主映像データに対応するスポンサ識別情報と前記副映像データに対応するスポンサ識別情報とが一致する副映像データ、あるいは前記主映像データに対応する業種情報と前記副映像データに対応する業種情報とが一致しない副映像データを選択するように前記選択手段を制御する選択制御手段であることを特徴とする請求項８記載の映像処理装置。
【請求項１０】
前記選択制御手段は、前記比較手段による比較の結果に基づき、前記主映像データに対応するスポンサ識別情報と前記副映像データに対応するスポンサ識別情報とが一致する副映像データ、あるいは前記主映像データに対応する業種情報と前記副映像データに対応する業種情報とが一致しない副映像データの中から、一つの副映像データを選択するように前記選択手段を制御する選択制御手段であることを特徴とする請求項８記載の映像処理装置。
【請求項１１】
コンテンツの属性を示す属性情報をコンテンツ毎に記憶するとともに、各コンテンツに対応したそれぞれの映像データの中から、少なくとも２つの映像データを選択し、合成して合成画面映像信号を生成する機能を有した映像処理装置であって、
合成するための一つの映像データである主映像データと前記主映像データ以外の映像データである副映像データとを選択する選択手段と、
選択された各映像データを合成する合成手段と、
前記主映像データに対応する属性情報と前記副映像データに対応する属性情報とを比較する比較手段と、
前記比較手段による比較の結果に基づき、前記選択手段を制御する選択制御手段とを備え、
前記属性情報は、コンテンツを提供するスポンサを示すスポンサ識別情報とコンテンツを提供するスポンサの業種を示す業種情報とを含み、
前記比較手段は、前記主映像データに対応する業種情報と前記副映像データに対応する業種情報とを比較するとともに、前記主映像データに対応するスポンサ識別情報と前記副映像データに対応するスポンサ識別情報とを比較し、
前記選択制御手段は、前記比較手段による比較の結果に基づき、前記主映像データに対応するスポンサ識別情報と前記副映像データに対応するスポンサ識別情報とが一致せず、かつ前記主映像データに対応する業種情報と前記副映像データに対応する業種情報とが一致する副映像データの選択を抑制するとともに、所定の期間経過の後、前記選択が抑制された副映像データを選択するように前記選択手段を制御することを特徴とする映像処理装置。
【請求項１２】
前記選択制御手段は、前記比較手段による比較の結果に基づき、前記主映像データに対応するスポンサ識別情報と前記副映像データに対応するスポンサ識別情報とが一致する副映像データ、あるいは前記主映像データに対応する業種情報と前記副映像データに対応する業種情報とが一致しない副映像データを選択するとともに、所定の期間経過の後、前記選択が抑制された副映像データを選択するように前記選択手段を制御する選択制御手段であることを特徴とする請求項１１記載の映像処理装置。
【請求項１３】
前記選択制御手段は、前記比較手段による比較の結果に基づき、前記主映像データに対応するスポンサ識別情報と前記副映像データに対応するスポンサ識別情報とが一致する副映像データ、あるいは前記主映像データに対応する業種情報と前記副映像データに対応する業種情報とが一致しない副映像データの中から、一つの副映像データを選択するとともに、所定の期間経過の後、前記選択が抑制された副映像データを選択するように前記選択手段を制御する選択制御手段であることを特徴とする請求項１１記載の映像処理装置。
【請求項１４】
前記コンテンツは、スポンサが実施するコマーシャルであることを特徴とする請求項８から請求項１３のいずれか一項に記載の映像処理装置。
【請求項１５】
前記映像データは、テレビジョン放送により送信された放送信号から復元された映像データであることを特徴とする請求項１から請求項１４のいずれか一項に記載の映像処理装置。
【請求項１６】
前記テレビジョン放送は、デジタル放送システムにおけるデジタルテレビジョン放送であり、前記業種情報、および前記スポンサ識別情報は、デジタル放送システムにおける番組情報に含まれる情報であることを特徴とする請求項１５記載の映像処理装置。
【請求項１７】
番組に関する情報である番組情報に、その番組のスポンサに関するスポンサ識別情報、および前記スポンサの業種を示す業種情報を含め、前記番組情報を重畳した放送信号を送信するデジタル放送送信装置と、
前記放送信号を受信し、前記番組情報を記憶するとともに、各番組に対応したそれぞれの映像データの中から、少なくとも２つの映像データを選択し、合成して合成画面映像信号を生成する機能を有したデジタル放送受信装置とを備えたデジタル放送システムであって、
前記デジタル放送受信装置は、
合成するための一つの映像データである主映像データと前記主映像データ以外の映像データである副映像データとを選択する選択手段と、
選択された各映像データを合成する合成手段と、
前記主映像データに対応する属性情報と前記副映像データに対応する属性情報とを比較する比較手段と、
前記比較手段による比較の結果に基づき、前記選択手段を制御する選択制御手段とを備え、
前記比較手段は、前記主映像データに対応する業種情報と前記副映像データに対応する業種情報とを比較するとともに、前記主映像データに対応するスポンサ識別情報と前記副映像データに対応するスポンサ識別情報とを比較し、
前記選択制御手段は、前記比較手段による比較の結果に基づき、前記主映像データに対応するスポンサ識別情報と前記副映像データに対応するスポンサ識別情報とが一致せず、かつ前記主映像データに対応する業種情報と前記副映像データに対応する業種情報とが一致する副映像データの選択を抑制するように前記選択手段を制御することを特徴とするデジタル放送システム。
【請求項１８】
番組に関する情報である番組情報に、その番組のスポンサに関するスポンサ識別情報、および前記スポンサの業種を示す業種情報を含め、前記番組情報を重畳した放送信号を送信するデジタル放送送信装置と、
前記放送信号を受信し、前記番組情報を記憶するとともに、各番組に対応したそれぞれの映像データの中から、少なくとも２つの映像データを選択し、合成して合成画面映像信号を生成する機能を有したデジタル放送受信装置とを備えたデジタル放送システムであって、
前記デジタル放送受信装置は、
合成するための一つの映像データである主映像データと前記主映像データ以外の映像データである副映像データとを選択する選択手段と、
選択された各映像データを合成する合成手段と、
前記主映像データに対応する属性情報と前記副映像データに対応する属性情報とを比較する比較手段と、
前記比較手段による比較の結果に基づき、前記選択手段を制御する選択制御手段とを備え、
前記比較手段は、前記主映像データに対応する業種情報と前記副映像データに対応する業種情報とを比較するとともに、前記主映像データに対応するスポンサ識別情報と前記副映像データに対応するスポンサ識別情報とを比較し、
前記選択制御手段は、前記比較手段による比較の結果に基づき、前記主映像データに対応するスポンサ識別情報と前記副映像データに対応するスポンサ識別情報とが一致せず、かつ前記主映像データに対応する業種情報と前記副映像データに対応する業種情報とが一致する副映像データの選択を抑制するとともに、所定の期間経過の後、前記選択が抑制された副映像データを選択するように前記選択手段を制御することを特徴とするデジタル放送システム。
【発明の詳細な説明】
【技術分野】
【０００１】
本発明は、番組の属性情報を多重化して放送する放送システム、およびその放送を受信し、受信した番組を表示する受信装置に関し、特に、属性情報としての番組情報とともにスポンサに関する情報をも多重化して放送するデジタル放送システム、および複数の映像を同一画面上に表示するとき、スポンサに関する情報に基づいた制御により複数の画面が表示される機能を備えた映像処理装置に関する。
【背景技術】
【０００２】
近年、既存のアナログテレビジョン放送に代わるデジタル放送システムが実用化されている。このようなデジタル放送システムでは、映像や音声等のコンテンツに加えて、デジタル放送におけるサービス情報や番組に関する情報を含む、ＳＩ（Ｓｅｒｖｉｃｅ  Ｉｎｆｏｒｍａｔｉｏｎ）と呼ばれる番組情報が多重化されて放送される。このように多重化された番組情報は、番組案内としての番組表や番組の内容に関する情報などが記述されたデータであり、これらのデータを利用して番組に関する情報が視聴者に提供される。デジタル放送受信装置は、これらのデータを利用して番組に関する情報である番組情報を得ている。番組情報としては、番組の、開始時刻、タイトル、内容、ジャンルなどがあり、デジタル放送受信装置はこれらの情報を、例えば電子番組表として視聴者に提供する。視聴者は、この電子番組表を利用することによって、容易に選局や番組予約を行なうことができる。
【０００３】
さらに、このような番組情報を利用して、電子番組表のような利用のみでなく、新たな放送サービスにも適用するような技術が提案されている。このような番組情報を利用した新たなサービスの一つとして、放送において送出されるコマーシャルと番組情報とを連動させたサービス形態やこのようなサービスを利用した処理装置が提案されている。
【０００４】
このような従来例の一つとして、個々の視聴者や視聴される条件に対応して、番組とコマーシャルを組み合わせて再生することを目的とし、複数の映像の再生表示において、映像再生方法の関連付けを行ない、番組やコマーシャル等の柔軟な再生表示を行なう映像再生装置が提案されている（例えば、特許文献１参照）。
【０００５】
このような従来の映像再生装置は、属性情報がそれぞれ付加されて各々独立した複数の映像情報を記憶した記憶手段と、記憶手段に記憶された任意の映像情報である第一映像情報の属性情報と任意の映像情報以外の第二映像情報の属性情報とに基づいて、第二映像情報の中から所定の第三映像情報を選択する選択手段と、第一映像情報と第三映像情報とを組み合わせて再生する再生手段とを備え、個々の映像情報に付加したキーワード等の照合情報を照合比較した結果に基づき、再生表示する組み合わせを決定するなど、視聴者の状況に合わせた柔軟な番組やコマーシャルの提供を可能としている。
【特許文献１】特開２００２−３４４８９５号公報
【発明の開示】
【発明が解決しようとする課題】
【０００６】
しかしながら、上記従来例のように、一つの表示画面上に複数の映像情報が表示できるようになると、例えば、あるメーカのスポンサ番組やコマーシャルをある画面で表示しているとき、同業他メーカのコマーシャルなどの放送が他の画面で表示されるような状況が起こり得る。より具体的な一例として、視聴者が、従来の受信装置によりデジタル放送を受信し視聴するような場合、視聴者は、図４に示すように表示画面９０において、主画面９１で番組を視聴しながら、補助の画面９２においてデータ放送の画像を表示しておくような視聴形態が可能である。このような場合、例えば、自動車メーカであるＡ社がスポンサの番組を視聴中、補助の画面から他の自動車メーカであるＢ社のコマーシャルがデータ放送により表示されるという状況が起こりうる。図４では、野球の好きな視聴者が、主画面９１に「野球ニュース」を表示し、補助の画面９２には「本日の試合結果」を表示したところ、主画面９１にはＡ社の広告が表示されるとともに、補助の画面９２にはＡ社に対し同業他社となるＢ社の広告が表示される一例を示している。すなわち、一つの表示画面上に複数の画面を表示可能とすることにより視聴者に対する利便性は向上するものの、番組の提供者であるスポンサにとっては、競合する企業どうしのコマーシャルが同一画面に表示されることとなり、コマーシャルによる宣伝効果が落ちるという課題があった。
【０００７】
本発明は、上記課題を解決するためになされたもので、一つの表示画面上に複数の映像情報が表示されるとき、同業社どうしのコマーシャル情報等が同時に表示されることを抑制可能とすることにより、コマーシャルによる宣伝効果の低下防止を可能とする映像処理装置、およびデジタル放送システムを提供することを目的とする。
【課題を解決するための手段】
【０００８】
上述したような課題を解決するために、本発明の映像処理装置は、コンテンツの属性を示す属性情報をコンテンツ毎に記憶するとともに、各コンテンツに対応したそれぞれの映像データの中から、少なくとも２つの映像データを選択し、合成して合成画面映像信号を生成する機能を有した映像処理装置である。
【０００９】
さらに、本発明の映像処理装置は、合成するための一つの映像データである主映像データと主映像データ以外の映像データである副映像データとを選択する選択手段と、選択された各映像データを合成する合成手段と、主映像データに対応する属性情報と副映像データに対応する属性情報とを比較する比較手段と、比較手段による比較の結果に基づき、主映像データに対応する属性情報と副映像データに対応する属性情報とが一致するとき、属性情報が一致した副映像データの選択を抑制するように前記選択手段を制御する選択制御手段とを備える。
【００１０】
また、本発明の映像処理装置は、合成するための一つの映像データである主映像データと主映像データ以外の映像データである副映像データとを選択する選択手段と、選択された各映像データを合成する合成手段と、主映像データに対応する属性情報と副映像データに対応する属性情報とを比較する比較手段と、比較手段による比較の結果に基づき、主映像データに対応する属性情報と副映像データに対応する属性情報とが一致するとき、属性情報が一致した副映像データの選択を抑制するとともに、所定の期間経過の後、属性情報が一致した副映像データを選択するように前記選択手段を制御する選択制御手段とを備える。
【００１１】
また、本発明の映像処理装置は、合成するための一つの映像データである主映像データと主映像データ以外の映像データである副映像データとを選択する選択手段と、選択された各映像データを合成する合成手段と、主映像データに対応する属性情報と副映像データに対応する属性情報とを比較する比較手段と、比較手段による比較の結果に基づき、上記選択手段を制御する選択制御手段とを備える。さらに、属性情報は、コンテンツを提供するスポンサを示すスポンサ識別情報とコンテンツを提供するスポンサの業種を示す業種情報とを含み、比較手段は主映像データに対応する業種情報と副映像データに対応する業種情報とを比較するとともに、主映像データに対応するスポンサ識別情報と副映像データに対応するスポンサ識別情報とを比較し、選択制御手段は比較手段による比較の結果に基づき、主映像データに対応するスポンサ識別情報と副映像データに対応するスポンサ識別情報とが一致せず、かつ主映像データに対応する業種情報と副映像データに対応する業種情報とが一致する副映像データの選択を抑制するように前記選択手段を制御する構成である。
【００１２】
また、本発明の映像処理装置は、合成するための一つの映像データである主映像データと主映像データ以外の映像データである副映像データとを選択する選択手段と、選択された各映像データを合成する合成手段と、主映像データに対応する属性情報と副映像データに対応する属性情報とを比較する比較手段と、比較手段による比較の結果に基づき、上記選択手段を制御する選択制御手段とを備える。さらに、属性情報は、コンテンツを提供するスポンサを示すスポンサ識別情報とコンテンツを提供するスポンサの業種を示す業種情報とを含み、比較手段は主映像データに対応する業種情報と副映像データに対応する業種情報とを比較するとともに、主映像データに対応するスポンサ識別情報と副映像データに対応するスポンサ識別情報とを比較し、選択制御手段は比較手段による比較の結果に基づき、主映像データに対応するスポンサ識別情報と副映像データに対応するスポンサ識別情報とが一致せず、かつ主映像データに対応する業種情報と副映像データに対応する業種情報とが一致する副映像データの選択を抑制するとともに、所定の期間経過の後、選択が抑制された副映像データを選択するように前記選択手段を制御する構成である。
【００１３】
また、本発明のデジタル放送システムは、番組に関する情報である番組情報に、その番組のスポンサに関するスポンサ識別情報、およびスポンサの業種を示す業種情報を含め、番組情報を重畳した放送信号を送信するデジタル放送送信装置と、放送信号を受信し、番組情報を記憶するとともに、各番組に対応したそれぞれの映像データの中から、少なくとも２つの映像データを選択し、合成して合成画面映像信号を生成する機能を有したデジタル放送受信装置とを備えたデジタル放送システムである。
【００１４】
さらに、本発明のデジタル放送システムにおいて、デジタル放送受信装置は、合成するための一つの映像データである主映像データと主映像データ以外の映像データである副映像データとを選択する選択手段と、選択された各映像データを合成する合成手段と、主映像データに対応する属性情報と副映像データに対応する属性情報とを比較する比較手段と、比較手段による比較の結果に基づき、選択手段を制御する選択制御手段とを備える。さらに、デジタル放送受信装置において、比較手段は主映像データに対応する業種情報と副映像データに対応する業種情報とを比較するとともに、主映像データに対応するスポンサ識別情報と副映像データに対応するスポンサ識別情報とを比較し、選択制御手段は比較手段による比較の結果に基づき、主映像データに対応するスポンサ識別情報と副映像データに対応するスポンサ識別情報とが一致せず、かつ主映像データに対応する業種情報と副映像データに対応する業種情報とが一致する副映像データの選択を抑制するように選択手段を制御する構成である。
【００１５】
また、本発明のデジタル放送システムにおいて、デジタル放送受信装置は、合成するための一つの映像データである主映像データと主映像データ以外の映像データである副映像データとを選択する選択手段と、選択された各映像データを合成する合成手段と、主映像データに対応する属性情報と副映像データに対応する属性情報とを比較する比較手段と、比較手段による比較の結果に基づき、選択手段を制御する選択制御手段とを備える。さらに、デジタル放送受信装置において、比較手段は主映像データに対応する業種情報と副映像データに対応する業種情報とを比較するとともに、主映像データに対応するスポンサ識別情報と副映像データに対応するスポンサ識別情報とを比較し、選択制御手段は比較手段による比較の結果に基づき、主映像データに対応するスポンサ識別情報と副映像データに対応するスポンサ識別情報とが一致せず、かつ主映像データに対応する業種情報と副映像データに対応する業種情報とが一致する副映像データの選択を抑制するとともに、所定の期間経過の後、選択が抑制された副映像データを選択するように選択手段を制御する構成である。
【発明の効果】
【００１６】
本発明の映像処理装置によれば、比較手段により、主映像データに対応する属性情報と副映像データに対応する属性情報とを比較した結果に基づき、主映像データに対応する属性情報と副映像データに対応する属性情報とが一致するとき、選択制御手段は、属性情報が一致した副映像データの選択を抑制するように選択手段を制御するため、同業社どうしのコマーシャル等が同時に選択された場合、副映像データ側のコマーシャル選択を抑制することとなり、同業社どうしのコマーシャル等が同時表示されることを抑制することが可能となる。このため、本発明の映像処理装置、およびデジタル放送システムによれば、コマーシャルによる宣伝効果の低下防止を可能とする映像処理装置、およびデジタル放送システムを提供することができる。
【発明を実施するための最良の形態】
【００１７】
以下、本発明の実施の形態について図面を参照しながら詳細に説明する。
【００１８】
（実施の形態）
図１は、本発明の実施の形態の映像処理装置を含むデジタル放送システムのブロック図である。本実施の形態では、映像処理装置の一例として、デジタル放送を受信し映像や音声信号を復元するデジタル放送受信装置を挙げて説明する。
【００１９】
図１において、デジタル放送送信装置（以下、適宜、送信装置と呼ぶ）５０は、放送事業者が所有し、番組の制作や編集などを行なう装置である。また、送信装置５０は、番組に関する情報である番組情報を、各番組のスポンサに関する情報であるスポンサ情報を含めて、データベースとして保持し、管理する。送信装置５０において、コンテンツ作成部５３は、番組の映像や音声情報であるコンテンツデータ（以下、適宜、コンテンツと呼ぶ）の制作、編集を行なう。このコンテンツは、多重化部５２に供給される。また、データ放送コンテンツ作成部５４は、データ放送の番組の映像や音声情報であるデータ放送用のコンテンツデータの制作、編集を行なう。さらに、番組情報作成部５５は、コンテンツ作成部５３、およびデータ放送コンテンツ作成部５４で製作、編集される各番組に関する情報である番組情報を作成する。特に、本実施の形態のデジタル放送システムでは、各番組のスポンサ情報を作成するスポンサ情報作成部５６を有することを特徴とする。
【００２０】
なお、放送における区分の一つとして、視聴者がその放送に対して視聴料を支払う有料放送と、視聴者がその放送に対しての視聴料等の支払をしない無料放送がある。特に、この無料放送の場合、通常、放送事業者は、番組の合間や前後の時間帯に企業宣伝やその製品宣伝を放送する広告枠を設ける。これに対し、企業等は、広告主としてこの広告枠に対する広告料を放送事業者に支払うことで、広告枠を利用した自社の製品等の宣伝を行なう。放送事業者は、このようにして得た広告料を番組制作等の費用に充て、放送事業を成立させている。一方、視聴者は無料で放送を視聴でき、広告主は放送を通じて自社の宣伝ができるという利点が得られる。このような広告枠での製品宣伝などは、通常、コマーシャルやＣＭと呼ばれ、その広告枠の期間において企業宣伝やその製品宣伝などに利用される広告用のコンテンツ情報が送出される。このコンテンツ情報は、例えば、映像データ、テキスト、グラフィックスなどの形式であり、さらに音声データを含んでいてもよい。また、例えば、通常番組の映像の上部や下部に字幕のように企業名が表示されるなど、番組映像と組み合わせて表示されてもよい。また、このような広告料を放送事業者に支払う広告主は、通常、スポンサと呼ばれる。上述したスポンサ情報は、このような広告主としての企業に関連した情報である。
【００２１】
スポンサ情報作成部５６は、番組毎に、例えば、その番組のスポンサの業種である業種情報やその番組のスポンサを示すスポンサ識別情報を、スポンサ情報として作成しデータベースとして保持し、管理する。なお、以下、業種情報は、業種を区分して識別するための業種ＩＤ（ＩＤｅｎｔｉｆｉｅｒ）とし、スポンサ識別情報は、そのスポンサを区分し識別するためのスポンサＩＤとして説明する。番組情報作成部５５は、スポンサ情報作成部５６からのスポンサ情報を含めた番組情報を作成し、多重化部５２に供給する。
【００２２】
多重化部５２は、コンテンツ作成部５３からのコンテンツデータ、データ放送コンテンツ作成部５４からのデータ放送用のコンテンツデータ、および番組情報作成部５５からの番組情報データを多重化し、放送として送出するためのトランスポートストリームとして、送信部５１に供給する。送信部５１は、供給されたトランスポートストリームにより変調された放送電波をアンテナから送信する。このようにして、送信装置５０からトランスポートストリームを重畳した放送電波が送信され、デジタル放送による放送が実施される。
【００２３】
一方、各視聴者は、それぞれが所有するデジタル放送受信装置（以下、適宜、受信装置と呼ぶ）１０によりデジタル放送電波を受信し、モニタ４０にデジタル放送信号から復元した各番組のコンテンツを表示することで、番組の視聴を行なう。以上のような構成により、放送事業者が有する送信装置５０で制作、編集された番組がデジタル放送として放送され、複数の受信装置１０によりデジタル放送電波が受信されるデジタル放送システムが構成される。
【００２４】
なお、送信装置５０において、送信部５１が、例えば、専用回線などにより距離的に離れて配置されるような構成であってもよい。また、送信部５１が、例えば、専用回線などにより距離的に離れて配置され、放送事業者とは異なる受託放送事業者に所有されるような形態であってもよい。また、コンテンツ作成部５３と、データ放送コンテンツ作成部５４とは、それぞれが異なる放送事業者であってもよい。また、デジタル放送電波は、地上波で伝送される形態であっても、また、放送衛星や通信衛星を介して放送されるような形態であってもよい。
【００２５】
また、受信装置１０は、モニタ４０と一体化されたテレビジョン受信装置の形態であっても、モニタ４０と一体化されず外部接続するセットトップボックスの形態であっても、モニタ４０と一体化されず録画再生を主体としたビデオカセットレコーダ、ＤＶＤレコーダ、あるいはＤＶＤデコーダであってもよい。さらに、デジタル放送が受信可能な機能を有した携帯電話などの移動端末装置などの形態であってもよい。
【００２６】
次に、図１に示す受信装置１０において、受信部１１は、アンテナで受信したデジタル放送電波に対して復調処理や誤り訂正処理等を施し、トランスポートストリームとして出力する。また、受信部１１は、目的の放送を受信するように制御部１９から指令される。すなわち、視聴者が、視聴者の指示を受け付けるユーザ操作部１８に対して指示を行なうと、制御部１９は、ユーザ操作部１８からの視聴者の指示情報に応じて、受信部１１の制御を行なうなど、受信装置１０における各部の制御等を行なう。
【００２７】
受信部１１からのトランスポートストリームは、トランスポートストリームデコード部（以下、適宜、ＴＳデコード部と呼ぶ）１２に供給される。ＴＳデコード部１２は、このトランスポートストリームからパケット分離し、目的とする番組のパケット単位のデータを抽出し、映像パケット、音声パケット、および受信する放送に関した情報を有する情報データに分離して出力する。映像パケット、および音声パケットは、後述する映像音声デコーダ１３に供給される。また、情報データは、後述するデータ放送処理部２１、および番組情報処理部２２に供給される。
【００２８】
映像音声デコーダ１３は、供給された映像パケット、および音声パケットをデコード処理し、これにより映像データ、および音声データが復元される。すなわち、例えば、映像パケットに含まれるデータがＭＰＥＧ−２方式などにより圧縮符号化処理されたデータの場合には、映像音声デコーダ１３によりデータの伸張処理が施され、映像データが復元される。映像データは、後述する合成出力部１４により映像信号に復元され、復元された映像信号がモニタ４０に供給される。また、音声データは、音声出力部（図示せず）により音声信号に復元され、復元された音声信号がモニタ４０に供給される。このようにして、目的の番組の映像、音声等のコンテンツがモニタ４０から呈示され、視聴者は、希望するコンテンツを視聴できる。
【００２９】
また、本実施の形態での受信装置１０は、トランスポートストリームに含まれる情報データからデータ放送のためのデータを抽出し、復元してデータ放送による番組のコンテンツを呈示できる機能を有している。さらに、本受信装置１０は、トランスポートストリームに含まれる情報データから番組情報データを抽出し、復元して、例えば、番組表や番組案内などを呈示できる機能を有している。
【００３０】
データ放送処理部２１は、ＴＳデコード部１２から供給された情報データからデータ放送のためのデータを抽出し、番組ごとのデータを画像データメモリ２３に蓄積する。例えば、視聴者がユーザ操作部１８により、データ放送の番組を表示するように指示すると、制御部１９は、ユーザ操作部１８からの指示情報に従って、まず、指示された番組を画像データメモリ２３から抽出するようデータ放送処理部２１に通知する。データ放送処理部２１は、この通知に基づき画像データメモリ２３から、指示されたデータ放送の番組に対応する画像データを抽出し、合成出力部１４に供給する。合成出力部１４からは、指示されたデータ放送の番組に対応する画像信号がモニタ４０へと出力され、モニタ４０上に指示されたデータ放送の番組が表示される。
【００３１】
また、同様に、番組情報処理部２２には、ＴＳデコード部１２から情報データが供給される。番組情報処理部２２は、供給された情報データから番組情報データを抽出し、番組ごとのデータを番組情報メモリ２４に蓄積する。例えば、視聴者がユーザ操作部１８により、番組表を表示するように指示すると、制御部１９は、ユーザ操作部１８からの指示情報に従って、まず、指示された番組表に関する番組情報を番組情報メモリ２４から抽出するよう番組情報処理部２２に通知する。番組情報処理部２２は、この通知に基づき番組情報メモリ２４から番組表に必要な番組情報データを抽出し、番組表作成部１５に供給する。番組表作成部１５は、番組情報データを利用して番組表を表示するための画像データを作成し、合成出力部１４に供給する。合成出力部１４からは、番組表に対応する画像信号がモニタ４０へと出力され、モニタ４０上に指示された番組表が表示される。
【００３２】
合成出力部１４は、制御部１９からの通知に応じて、映像音声デコーダ１３から供給される映像データと、データ放送処理部２１からのデータ放送画像データ、あるいは番組表作成部１５からの番組表画像データとを合成して出力する。すなわち、合成出力部１４は、各映像データを合成する合成手段として機能する。図１のモニタ４０において、映像データとデータ放送画像データが合成された一例を示している。図１に示すように、モニタ４０上には映像音声デコーダ１３により復元された映像を表示する主画面４１と、データ放送処理部２１により復元された画像を表示する副画面４２とが合成されて表示される。なお、以下説明を分かりやすくするため、映像音声デコーダ１３からの映像データを主画面として表示するための主映像データとし、データ放送処理部２１からのデータ放送画像データを副画面として表示するための副映像データとした一つの例として説明する。
【００３３】
また、選択指示部３２は、映像音声デコーダ１３、およびデータ放送処理部２１に対し、合成するための主映像データ、および副映像データを指示する。すなわち、選択指示部３２は、合成するための各映像データを選択する選択手段として機能する。視聴者がユーザ操作部１８により、複数の番組を合成して表示するように指示すると、この指示情報が制御部１９に通知される。制御部１９は、この指示情報に基づき、合成して表示するための各番組を示す選択番組ＩＤを選択指示部３２に通知する。これにより、選択指示部３２は、通知された選択番組ＩＤに基づき合成するための番組を選択するよう映像音声デコーダ１３、およびデータ放送処理部２１に指示する。映像音声デコーダ１３、およびデータ放送処理部２１は、この指示に対応した主映像データ、および副映像データを抽出し、合成出力部１４に供給する。
【００３４】
さらに、本実施の形態での受信装置１０は、上述の主画面４１と副画面４２との組合せのように複数の映像データや画像データを合成して表示する場合、表示するそれぞれ番組のスポンサに応じた制御を行なって表示することを特徴とする。これを実現するため、本受信装置１０は、スポンサ処理部３０を設けている。
【００３５】
スポンサ処理部３０は、主映像データ、および副映像データを合成して表示する場合、番組情報に含まれるスポンサ情報に基づき、同業種であるが他社どうしとなるスポンサのコマーシャル（以下、適宜、ＣＭと呼ぶ）、あるいは番組を、合成して表示しないように制御することを特徴とする。これを実現するため、スポンサ処理部３０は、番組情報からスポンサ情報を抽出し、このスポンサ情報に基づき、選択指示部３２を制御する。
【００３６】
図２は、番組情報処理部２２により番組情報メモリ２４に記録された番組情報の一例を示す図である。図２に示すように、番組情報メモリ２４には、番組毎に番組を識別する番組ＩＤで区分して、番組に関する情報、すなわち、番組の属性を示す属性情報としての番組情報が記憶されている。図２に例示しているように、番組情報として、例えば、放送されるチャネル、放送される時間、その番組のジャンル情報などとともに、スポンサ情報が記憶されている。なお、ここで言う番組は、通常の放送、およびデータ放送による番組を含んでおり、さらに各コマーシャルもそれぞれ一つの番組である。また、スポンサ情報は、そのスポンサの業種を示す業種ＩＤと、スポンサである企業を区分するためのスポンサＩＤとにより構成された一例を示している。
【００３７】
番組情報処理部２２は、要求に応じて、番組情報メモリ２４に記憶された図２に示すような番組情報データを抽出し、供給する。例えば、ユーザから番組表を表示するよう指示されると、制御部１９は、番組情報処理部２２に対して、指示に応じた番組情報データを番組表作成部１５に供給するよう指示する。
【００３８】
また、ユーザから複数の映像を合成して表示するよう指示されると、制御部１９は、選択指示部３２に対して、指示に応じた主映像データ、および副映像データを抽出するよう指示する。さらに、制御部１９は、スポンサ処理部３０に対して、合成して表示する番組のスポンサに関する処理を実行するように指示する。この指示に応じて、スポンサ処理部３０は、まず、制御部１９から通知される番組ＩＤを参照して、その番組ＩＤに対応したスポンサ情報を通知するよう番組情報処理部２２に要求する。これにより、番組情報処理部２２からスポンサ処理部３０に対し、合成して表示しようとする各番組に対応したスポンサ情報が通知される。
【００３９】
スポンサ処理部３０は、まず、通知された合成表示しようとする各番組のスポンサ情報に含まれる業種ＩＤをそれぞれ比較する。さらに、スポンサ処理部３０は、この比較の結果、主映像データに対応する業種ＩＤと副映像データに対応する業種ＩＤとが一致する副映像データがあるかどうかを判定する。スポンサ処理部３０は、この比較の結果、業種ＩＤが一致する副映像データがあると判定した場合、選択指示部３２に対して、他の副映像データを選択するように指示する。このように、スポンサ処理部３０は、主映像データに対応する属性情報と副映像データに対応する属性情報とを比較する比較手段、および比較手段による比較の結果に基づき、主映像データに対応する属性情報と副映像データに対応する属性情報とが一致するとき、属性情報が一致した副映像データを選択するように選択指示部３２を制御する選択制御手段としての機能を有している。また、これにより、各番組を合成して表示する場合、同業種のスポンサに対応した番組が同時に表示されることを抑制することができる。
【００４０】
なお、スポンサ処理部３０が、業種ＩＤの比較の結果、業種ＩＤが一致する副映像データがあると判定した場合、選択指示部３２に対して他の副映像データを選択するように指示するとともに、データ放送処理部２１に対して業種ＩＤが一致した副映像データを例えば画像データメモリ２３に一時的に保持するよう指示し、所定の期間が経過した後、さらに、スポンサ処理部３０が、データ放送処理部２１に対してその一時的に保持した副映像データを読み出し、出力するように制御してもよい。これにより、各番組を合成して表示する場合、同業種のスポンサに対応した番組が同時に表示されることを抑制するとともに、視聴者は、表示が抑制された番組を後ほど視聴することができる。
【００４１】
また、スポンサ処理部３０が、スポンサ情報に含まれる業種ＩＤ、およびスポンサＩＤを参照し、主映像データに対応するスポンサＩＤと副映像データに対応するスポンサＩＤとが一致せず、かつ主映像データに対応する業種ＩＤと副映像データに対応する業種ＩＤとが一致する副映像データを除く副映像データを選択するように選択指示部３２を制御するような構成でもよい。これにより、各番組を合成して表示する場合、同業種、かつ他社どうしのスポンサに対応した番組が同時に表示されることを抑制することができる。さらに、上述したのと同様に、表示が抑制された副映像データについては、所定の期間が経過した後、一時的に保持した副映像データを読み出し、出力するように制御してもよい。
【００４２】
以上、本発明の実施の形態における受信装置１０は、スポンサ処理部３０が上述した処理を実行し、この処理に応じて選択指示部３２を制御することで、同業社どうしのＣＭ情報等が同時表示されることを抑制でき、ＣＭによる宣伝効果の低下防止を図っている。
【００４３】
以下、以上のように構成された本発明の実施の形態における受信装置１０の詳細な動作について説明する。
【００４４】
図３は、スポンサ処理部３０により実行されるスポンサに関する処理の手順を示したフローチャートである。制御部１９から、選択指示部３２に対して番組を選択するように指示するとき、スポンサ処理部３０には番組を選択するための番組ＩＤが通知され、スポンサ処理部３０は、図３に示す手順に従った処理を開始する。
【００４５】
まず、スポンサ処理部３０は、制御部１９からの通知により、選択を指示された番組の番組ＩＤを取り込む（ステップＳ１０２）。次に、スポンサ処理部３０は、番組選択の指示が、多画面、すなわち、複数の画面を合成して表示するような指示であるかどうかを確認する（ステップＳ１０４）。スポンサ処理部３０は、多画面を表示するような指示ではないと判定した場合、処理を終了する。また、スポンサ処理部３０は、多画面を表示するような指示であると判定した場合、ステップＳ１０４の処理へと進む。
【００４６】
制御部１９からの指示が多画面を表示するような指示であるとスポンサ処理部３０が判定すると、スポンサ処理部３０は、制御部１９から通知された番組ＩＤに対応した業種ＩＤ、およびスポンサＩＤを通知するよう番組情報処理部２２に指示する。スポンサ処理部３０は、まず、番組情報処理部２２から主映像データに対応する主番組の業種ＩＤを受け取る（ステップＳ１０６）。さらに、番組情報処理部２２から副映像データに対応する副番組の業種ＩＤを受け取る（ステップＳ１０８）。
【００４７】
次に、スポンサ処理部３０は、受け取った主番組の業種ＩＤと副番組の業種ＩＤとが同一かどうかを判定する（ステップＳ１１０）。スポンサ処理部３０は、受け取った主番組の業種ＩＤと副番組の業種ＩＤとが同一ではないと判定した場合、ステップＳ１２０の処理に進む。また、スポンサ処理部３０は、受け取った主番組の業種ＩＤと副番組の業種ＩＤとが同一であると判定した場合、ステップＳ１１２の処理に進む。
【００４８】
スポンサ処理部３０が、受け取った主番組の業種ＩＤと副番組の業種ＩＤとが同一であると判定すると、スポンサ処理部３０は、番組情報処理部２２から主映像データに対応する主番組のスポンサＩＤを受け取る（ステップＳ１１２）。さらに、スポンサ処理部３０は、番組情報処理部２２から副映像データに対応する副番組のスポンサＩＤを受け取る（ステップＳ１１４）。
【００４９】
次に、スポンサ処理部３０は、受け取った主番組のスポンサＩＤと副番組のスポンサＩＤとが同一かどうかを判定する（ステップＳ１１６）。スポンサ処理部３０は、受け取った主番組のスポンサＩＤと副番組のスポンサＩＤとが同一であると判定した場合、ステップＳ１２０の処理に進む。また、スポンサ処理部３０は、受け取った主番組のスポンサＩＤと副番組のスポンサＩＤとが同一ではないと判定した場合、ステップＳ１１８の処理に進む。
【００５０】
スポンサ処理部３０が、受け取った主番組のスポンサＩＤと副番組のスポンサＩＤとが同一ではないと判定すると、スポンサ処理部３０は、選択指示部３２に対して、選択済みの副番組を切り替えるよう指示する。このとき、例えば、選択指示部３２からデータ放送処理部２１に対して、選択済みの副番組を表示しないよう通知する。また、選択指示部３２が、データ放送処理部２１に対して、主番組の業種ＩＤに一致しない業種ＩＤの副番組、あるいは主番組のスポンサＩＤに一致するスポンサＩＤの副番組を選択するように指示してもよい。
【００５１】
次に、スポンサ処理部３０は、制御部１９から、さらに他の副画面を表示するよう指示されているかどうかを確認する（ステップＳ１２０）。制御部１９から、さらに他の副画面を表示するよう指示されている場合には、スポンサ処理部３０は、ステップＳ１２２の処理に進む。制御部１９から、さらに他の副画面を表示するよう指示されていない場合には、スポンサ処理部３０は、スポンサ処理を終了する。
【００５２】
制御部１９から、さらに他の副画面を表示するよう指示されている場合、スポンサ処理部３０は、次の副番組の業種ＩＤ、およびスポンサＩＤを番組情報処理部２２から取得し（ステップＳ１２０）、ステップＳ１１０からの処理を繰り返す。
【００５３】
以上説明したように、本発明の実施の形態におけるデジタル放送システムは、番組に関する情報である番組情報に、その番組のスポンサに関するスポンサ識別情報、およびスポンサの業種を示す業種情報を含め、番組情報を重畳した放送信号を送信するデジタル放送送信装置と、その放送信号を受信し、その放送信号に含まれる番組情報を記憶するとともに、各番組に対応したそれぞれの映像データの中から、少なくとも２つの映像データを選択し、合成して合成画面映像信号を生成する機能を有したデジタル放送受信装置としての映像処理装置を備える。
【００５４】
さらに、本発明の実施の形態における映像処理装置は、複数の番組に対応したそれぞれの映像データを合成して表示するとき、スポンサ処理部により、通知された合成表示しようとする各番組のスポンサ情報に含まれる業種ＩＤをそれぞれ比較し、この比較の結果、主映像データに対応する業種ＩＤと副映像データに対応する業種ＩＤとが一致する副映像データがあるかどうかを判定する。さらに、業種ＩＤが一致する副映像データがあると判定した場合、他の副映像データを選択するように、映像データの選択を制御する。これにより、各番組を合成して表示する場合、同業種のスポンサに対応した番組が同時に表示されることを抑制することができる。
【００５５】
また、本発明の実施の形態における映像処理装置は、複数の番組に対応したそれぞれの映像データを合成して表示するとき、スポンサ処理部により、スポンサ情報に含まれる業種ＩＤ、およびスポンサＩＤを参照し、主映像データに対応するスポンサＩＤと副映像データに対応するスポンサＩＤとが一致せず、かつ主映像データに対応する業種ＩＤと副映像データに対応する業種ＩＤとが一致する副映像データを除く副映像データを選択するように制御する。これにより、各番組を合成して表示する場合、同業種、かつ他社どうしのスポンサに対応した番組が同時に表示されることを抑制することが可能である。
【００５６】
また、本発明の実施の形態における映像処理装置は、複数の番組に対応したそれぞれの映像データを合成して表示するとき、スポンサ処理部により、通知された合成表示しようとする各番組のスポンサ情報に含まれる業種ＩＤをそれぞれ比較し、この比較の結果、主映像データに対応する業種ＩＤと副映像データに対応する業種ＩＤとが一致する副映像データがあるかどうかを判定する。さらに、業種ＩＤが一致する副映像データがあると判定した場合、他の副映像データを選択するように指示し、所定の期間経過の後、業種ＩＤが一致した副映像データを選択するように、映像データの選択を制御する。これによっても、各番組を合成して表示する場合、同業種のスポンサに対応した番組が同時に表示されることを抑制することが可能である。
【００５７】
また、本発明の実施の形態における映像処理装置は、複数の番組に対応したそれぞれの映像データを合成して表示するとき、スポンサ処理部により、スポンサ情報に含まれる業種ＩＤ、およびスポンサＩＤを参照し、主映像データに対応するスポンサＩＤと副映像データに対応するスポンサＩＤとが一致せず、かつ主映像データに対応する業種ＩＤと副映像データに対応する業種ＩＤとが一致する副映像データを除く副映像データを選択するように指示し、所定の期間経過の後、選択を抑制した副映像データを選択するように、映像データの選択を制御する。これにより、各番組を合成して表示する場合、同業種、かつ他社どうしのスポンサに対応した番組が同時に表示されることを抑制することが可能である。
【００５８】
以上、本発明の実施の形態によれば、スポンサ処理部が上述した処理を実行し、この処理に応じて選択指示部を制御するため、同業社どうしのＣＭ情報等が同時表示されることを抑制でき、ＣＭによる宣伝効果の低下の防止を図ることができる。
【産業上の利用可能性】
【００５９】
本発明は、例えば、番組の属性情報を多重化して放送する放送システム、およびその放送を受信し、受信した番組を表示する受信装置に適用でき、特に、複数の映像を同一画面上に表示するような映像信号を生成する機能を有したテレビジョン受信装置、セットトップボックス、ビデオカセットレコーダ、ＤＶＤレコーダ、ＤＶＤデコーダ、あるいはテレビジョン放送が受信可能な機能を有した移動端末装置などの映像処理装置に利用することが可能である。
【図面の簡単な説明】
【００６０】
【図１】本発明の実施の形態の映像処理装置を含むデジタル放送システムのブロック図
【図２】スポンサ情報を含む番組情報の一例を示す図
【図３】スポンサ処理部により実行される処理の手順を示したフローチャート
【図４】従来の受信装置により複数画面を表示した一例を示す図
【符号の説明】
【００６１】
１０    受信装置
１１    受信部
１２    ＴＳ（トランスポートストリーム）デコード部
１３    映像音声デコーダ
１４    合成出力部
１５    番組表作成部
１８    ユーザ操作部
１９    制御部
２１    データ放送処理部
２２    番組情報処理部
２３    画像データメモリ
２４    番組情報メモリ
３０    スポンサ処理部
３２    選択指示部
４０    モニタ
４１，９１    主画面
４２，９２    副画面
５０    送信装置
５１    送信部
５２    多重化部
５３    コンテンツ作成部
５４    データ放送コンテンツ作成部
５５    番組情報作成部
５６    スポンサ情報作成部
９０    表示画面
【図１】
2005340886.tif 000003
【図２】
2005340886.tif 000004
【図３】
2005340886.tif 000005
【図４】
2005340886.tif 000006